(57)【要約】【課題】第二種のパチンコ遊技機であって、１個の入賞球に対し払い出される景品球数を所定の個数よりも少なくし、その分遊技球の入賞する機会を多くして遊技球との絡みを増やし遊技の醍醐味が味わえるようにしたパチンコ遊技機を提供する。【解決手段】開閉する翼部材２７を有すると共に内部にＶ入賞孔１５ａ，１５ｂと通常入賞孔１５ｃとを配設する電動役物４と、遊技球が入賞することにより翼部材２７を作動させる始動口６と、遊技球が電動役物４のＶ入賞孔１５ａ，１５ｂに入賞して当り状態になったとき一定の条件のもとで球入口３１を開放し多くの入賞球が得られる入賞装置５とを備え、始動口６及び電動役物４に遊技球が入賞したときその一個の入賞球に対する景品球数を所定の個数よりも少なくし、かつ、その分始動口６に遊技球が入賞し易くなるように設定した。【選択図】図１
2006346212.tif 000002
【特許請求の範囲】
【請求項１】
遊技球が入賞し得ない位置と入賞し得る位置とに変換される翼部材を有し内部にＶ入賞孔と通常入賞孔とが配設される電動役物と、遊技球が入賞することにより前記翼部材を遊技球が入賞し得る位置に変換する始動口と、遊技球が前記電動役物に入賞すると共に前記Ｖ入賞孔に入賞して当り状態になったとき一定の条件のもとで球入口を開放し一度に多くの入賞球が得られる入賞装置とを備えてなり、
前記始動口及び電動役物に遊技球が入賞したときその一個の入賞球に対し払い出される景品球数を所定の個数よりも少なく設定し、かつ、その分前記始動口に遊技球が入賞し易くなるように設定して前記電動役物に遊技球の入賞する機会を多くしたことを特徴とするパチンコ遊技機。
【発明の詳細な説明】
【技術分野】
【０００１】
本発明は、パチンコ遊技機であって所謂「羽根モノ」と称される第二種のパチンコ遊技機に関するものである。
【背景技術】
【０００２】
一般に、パチンコ遊技機には、大きく分けて「フィーバータイプ」と称される第一種、「羽根モノ」と称される第二種、更には「権利モノ」と称される第三種がある。この内、「羽根モノ」と称されるパチンコ遊技機は、遊技盤面のほぼ中央部に飛行機の羽根形状をなし回動して遊技球が入賞し得ない位置と入賞し得る位置とに変換される翼部材を有した電動役物が装着され、内部にはＶ入賞孔と通常入賞孔とを配設した特定領域が設けられている。また、遊技盤面に遊技球が入賞することにより前記翼部材を遊技球が入賞し得る位置に変換するための始動口が装着されている。
【０００３】
そこで、前記始動口に遊技球が入賞すると、前記翼部材を遊技球が入賞し得る位置に所定の時間の間変換させる。この間に、運良く遊技球が入賞し更に特定領域に達してＶ入賞孔に入賞すると、遊技者にとって有利な当り状態となる。この当り状態では、例えば１回のラウンド動作として翼部材が１８回以下の開放動作（開放時間の合計は３０秒以下）または遊技球が１０個入賞することによって終了する。ただし、前記ラウンド中に入賞球がＶ入賞孔に入賞することを条件に前記ラウンドが連続（例えば、最高１５回）して動作し、一度に多くの入賞球が得られるようになっている（例えば、特許文献１参照。）。
【特許文献１】特開２００２−３６９９３１号公報（第３頁段落０００９〜００１２、図１、図２）
【発明の開示】
【発明が解決しようとする課題】
【０００４】
ところで、通常、遊技部への打球は、１分間に１００発発射されるように設定されている。この場合、パチンコホールでの損益分岐の基準値は、前記遊技球１００個に対し、パチンコホール側が７０個、遊技者側が３０個得たときであると言われている。よって、例えば１分間にパチンコホール側が６０個、遊技者側が４０個の遊技球を得たときは、パチンコホール側が損失を蒙ったことになる。
【０００５】
また、入賞球が発生すると遊技者に所定個数の景品球を放出することになる。例えば、前記電動役物では、１個の入賞球に対して１０個の景品球が払い出される。一方、前記始動口では１個の入賞球に対して５個の景品球が払い出される。よって、１分間に１００発の打球が発射されたとし、その内、始動口に１個の遊技球が入賞し、翼部材が１回変換してその間に１個の遊技球が入賞したとすると、始動口と電動役物とで合わせて１５個の景品球が払い出されるので、前記パチンコホールの損益分岐の基準値からすれば、１分間における前記一連の動作は２回（この場合、３０個の景品球が払い出される。）が限度となる。
【０００６】
このように、１分間に翼部材が２回変換するのみでは、遊技球が翼部材に絡む機械が余りにも少なく、本来、多くの遊技球と翼部材とが絡んで戯れるところにパチンコ遊技機の醍醐味があるものの、その醍醐味を味わい楽しむことができる要素が欠如しているのが現状である。これでは遊技の興趣を高めることは困難であって、これに対する早急の解決策が望まれている。
【０００７】
そこで、本発明は上記課題に鑑みてなされたもので、第二種のパチンコ遊技機であって、１個の入賞球に対し払い出される景品球数を所定の個数よりも少なくし、その分入賞する機会を多くしてパチンコ遊技機本来の遊技球と翼部材との絡みを増やしパチンコホールの損益分岐の基準値を満たしつつ同時に遊技者にも遊技の醍醐味が十分に満喫できるようにした画期的なパチンコ遊技機を提供することを目的とするものである。
【課題を解決するための手段】
【０００８】
かかる目的を達成するため本発明に係るパチンコ遊技機は、遊技球が入賞し得ない位置と入賞し得る位置とに変換される翼部材を有し内部にＶ入賞孔と通常入賞孔とが配設される電動役物と、遊技球が入賞することにより前記翼部材を遊技球が入賞し得る位置に変換する始動口と、遊技球が前記電動役物に入賞すると共に前記Ｖ入賞孔に入賞して当り状態になったとき一定の条件のもとで球入口を開放し一度に多くの入賞球が得られる入賞装置とを備えてなり、前記始動口及び電動役物に遊技球が入賞したときその一個の入賞球に対し払い出される景品球数を所定の個数よりも少なく設定し、かつ、その分前記始動口に遊技球が入賞し易くなるように設定して前記電動役物に遊技球の入賞する機会を多くした構成からなる。
【発明の効果】
【０００９】
本発明に係るパチンコ遊技機は、始動口及び電動役物に遊技球が入賞したときその１個の入賞球に対し払い出される景品球数を所定の個数よりも少なく設定し、かつ、その分始動口に遊技球が入賞し易くなるように設定した。よって、電動役物に遊技球の入賞する機会が多くなり、遊技球と翼部材との絡みも増えて遊技者は遊技の醍醐味を十分に満喫でき、同時にパチンコホールの損益分岐の基準値も満たすことができるという有益な効果が有る。
【発明を実施するための最良の形態】
【００１０】
以下、本発明に係るパチンコ遊技機の実施の形態を図面に基づき説明する。図１は本発明に係るパチンコ遊技機の遊技盤の正面図である。遊技盤１は木製のベニヤ板を積層して略方形状に成形され、その前面に内側ガイドレール２ａ及び外側ガイドレール２ｂが渦巻状に敷設されている。そして、その内側に遊技部３が成形される。
【００１１】
遊技部３のほぼ中央部に電動役物４が装着され、その下方に大型の入賞装置５が装着される。この入賞装置５の両側方の遊技盤１面に始動口６，６が装着される。また、遊技盤１面に、電動役物４の両側方に一般の入賞口７が装着されている。更に、遊技盤１面の所定位置には複数本の障害釘８、風車９が植設されている。
【００１２】
前記電動役物４は取付板１０の中央部に窓開口１１が開設され、該取付板１０の裏側に特定領域としての球収容室１２が成形される。該球収容室１２は前記窓開口１１を介して前側から視認できるようになっている。球収容室１２は、壁状に成形され、その中央上部に第一回転体１３ａが配置され、その下方に該第一回転体１３ａよりも大径の第二回転体１３ｂが配置されている。これら第一・第二回転体１３ａ，１３ｂは、鉛直面内で同じ方向に一定の速度で回転している。
【００１３】
そして、前記第一回転体１３ａの外周縁に入った入賞球を第二回転体１３ｂへ送る連続入賞孔１４ａとそのまま外部へ排出する通常入賞孔１４ｂとが交互に合計４個設けられている。一方、第二回転体１３ｂの外周縁には、１０個の入賞孔が設けられ、その内、対向位置する入賞孔の一方が入賞することにより最大５ラウンドまで当り状態を続けることができるＶ５入賞孔１５ａとなる。また、他方が入賞することにより最大１０ラウンドまで当り状態を続けることができるＶ１０入賞孔としている。そして、残りの入賞口は、いずれも当り状態とならない通常入賞孔１５ｃとしている。
【００１４】
前記球収容室１２の上部に段状の棚部１６が成形されている。この棚部１６の上面は中央に向かって下傾しており、その中央部に前記第一回転体１３ａの外周面に連なる球落口１７が設けられている。また、第一回転体１３ａと第二回転体１３ｂとの間には互いに連なるように連絡通路１８が設けられる。更に、第一回転体１３ａの一側に該第一回転体１３ａと連なる第一球送通路１９が設けられている。これにより、前記各連続入賞孔１４ａに入った入賞球は連絡通路１８を介して第二回転体１３ｂのいずれかの入賞孔に入るようになる。一方、残りの各通常入賞孔１４ｂに入った入賞球は第一球送通路１９へ入り、そのまま外部へ排出される。
【００１５】
前記連絡通路１８から第二回転体１３ｂの各通常入賞孔１５ｃに入った入賞球は、第二回転体１３ｂの一側に連なるように設けられた第二球送通路２１へ入り、そのまま外部へ排出される。一方、Ｖ５入賞孔１５ａに入った入賞球は第二回転体１３ｂの下方に連なるように設けられた第三球送通路２３に入り、球検出器２４により検出されて外部に排出される。また、Ｖ１０入賞孔１５ｂに入った入賞球は第二回転体１３ｂの他側に連なるように設けられた第四球送通路２５に入り、球検出器２６により検出されて外部に排出されるようになっている。
【００１６】
前記取付板１０の前面であって、窓開口１１の上方の両側に翼部材２７が配置される。各翼部材２７は下端で軸支され、鉛直面内で回動して図１鎖線に示すように入賞球が入賞し得ない起立した位置と、図１実線に示すように入賞球が入賞し得る外側に傾動した位置とに変換できるようになっている。両翼部材２７，２７の内側にはそれぞれ前記棚部１６上面に入賞球を落下させる球通過口２８，２８が設けられ、各球通過口２８には球検出器２９が設けられている。
【００１７】
前記各始動口６に遊技球が入賞すると、該入賞球は球検出器（図示せず。）により検出される。これにより、前記電動役物４の両翼部材２７，２７を遊技球が入賞可能なように１回往復回動させるようになっている。
【００１８】
前記入賞装置５は、取付板３０に横長の球入口３１が開設され、該球入口３１に前側へ傾動自在の開閉扉３２が開設されている。図示は省略するが、その取付板３０の後側には球集合室が形成され、該球集合室の底面に球検出器が配置される。そして、当り状態になると、前記開閉扉３２が前側に傾動して球入口３１を開き多くの遊技球が入賞できるようになっている。球集合室に入った入賞球は、球検出器により検出されて外部に排出される。この場合、開閉扉３２の開放時間が例えば３０秒または球入口３１に遊技球が１０個入賞することにより、１回のラウンド動作が終了し開閉扉３２が起立して球入口３１を塞ぐ。そして、前記ラウンド回数は、Ｖ５入賞孔１５ａに入賞球が入ったときは５回連続して続き、Ｖ１０入賞孔１５ｂに入賞球が入ったときは１０回連続して続き、一度に多くの入賞球が得られる。
【００１９】
本発明にあっては、始動口６に１個の遊技球が入賞したとき、これに対し払い出される景品球は所定個数が５個のところ３個に設定される。また、前記電動役物４に１個の遊技球が入賞したとき、これに対し払い出される景品球は所定個数が１０個のところ３個に設定される。入賞装置５に遊技球が入賞したときは、１個の入賞球に対して払い出される景品球は所定個数と同じ１０個に設定されている。前記電動役物４及び入賞装置５などの盤面部品は、中央制御基板（図示せず。）により電気的に制御される。
【００２０】
また、前記のように始動口６及び電動役物４に遊技球が入ったとき、これに対する景品球の数が所定個数よりも少ないことから、その分特に始動口６に遊技球が入賞し易くなるように設定する手段として、例えば遊技盤１面に植設された障害釘８を各始動口６に遊技球が入賞し易いように調整する手段が採られる。これにより、電動役物の翼部材２７，２７が頻繁に回動して遊技球の入賞し得ない位置と入賞し得る位置とに変換することになる。ただ、これはパチンコホールでの損益分岐の基準値を満たす範囲内で行なう。
【００２１】
本発明に係るパチンコ遊技機は上記構成からなり、次に図１乃至図３に基づき遊技方法を説明する。まず、遊技部３に打ち込まれた遊技球が始動口６に入賞すると、その１個の入賞球に対し３個の景品球が払い出される。また、電動役物４の起立して閉じていた両翼部材２７，２７が遊技球の入賞し得る位置に回動して短い時間で戻る。その間に、遊技球Ｂが入賞すると、球検出器２９を通過して検出されると共に球通過口２８から棚部１６上面に落下して中央へ転動する。そして、球落口１７に落下して第一回転体１３ａのいずれかの入賞孔に入賞する。また、前記１個の入賞球Ｂに対し３個の景品球が払い出される。
【００２２】
そこで、図１に示すように連続入賞孔１４ａに入った入賞球Ｂは、連絡通路１８に排出され第二回転体１３ｂのいずれかの入賞孔に入ることになる。一方、通常入賞孔１４ｂに入った入賞球Ｂ１は、第一球送通路１９へ入り外部へ排出される。
【００２３】
前記連絡通路１８に排出された遊技球Ｂであって、第二回転体１３ｂの通常入賞孔１５ｃに入った入賞球Ｂ２は、第二球送通路２１へ入り外部へ排出される。一方、Ｖ５入賞孔１５ａに入った入賞球Ｂ３は図２に示すように第三球送通路２３に入り、球検出器２４により検出されて外部に排出される。これにより、中当りが確定し、入賞装置５の開閉扉３２が前側に傾動し前記１ラウンドの動作が５回連続して行なわれる。この際、１個の入賞球に対して１０個の景品球が払い出され、遊技者は多くの景品球を得ることになる。ただし、前記ラウンドの動作中は、たとえ始動口６に遊技球が入賞しても景品球が払い出されるだけで、両翼部材２７，２７が回動しないようにしている。
【００２４】
更に、前記連絡通路１８に排出された遊技球Ｂであって、第二回転体１３ｂのＶ１０入賞孔１５ｂに入った入賞球Ｂ４は、図３に示すように第四球送通路２５に入り、球検出器２６により検出されて外部に排出される。これにより、大当りが確定し、入賞装置５の開閉扉３２が前側に傾動し前記１ラウンドの動作が１０回連続して行なわれる。この際、１個の入賞球に対して１０個の景品球が払い出され、遊技者は多くの景品球を得ることになる。ただし、この場合も前記ラウンドの動作中は、たとえ始動口６に遊技球が入賞しても景品球が払い出されるだけで、両翼部材２７，２７が回動しないようにしている。
【００２５】
このように、本発明は始動口６及び電動役物４に遊技球が入賞したときその１個の入賞球に対し払い出される景品球数を所定の個数よりも少なく設定し、かつ、その分始動口６に遊技球が入賞し易くなるように設定したので、翼部材２７，２７の回動動作が頻繁になり電動役物４に遊技球Ｂの入賞する機会が多くなる。これにより、パチンコ遊技機本来の遊技球Ｂと翼部材２７，２７との絡みが増え、遊技者は遊技の醍醐味を十分に満喫でき、同時にパチンコホールの損益分岐の基準値も満たすことができる。
【図面の簡単な説明】
【００２６】
【図１】本発明に係るパチンコ遊技機の遊技盤の正面図。
【図２】同作用を示す遊技盤の正面図。
【図３】同作用を示す遊技盤の正面図。
【符号の説明】
【００２７】
１                  遊技盤
４                  電動役物
５                  入賞装置
６                  始動口
１５ａ              Ｖ入賞孔（Ｖ５入賞孔）
１５ｂ              Ｖ入賞孔（Ｖ１０入賞孔）
２７                翼部材
３１                球入口
Ｂ〜Ｂ４            入賞球
【図１】
2006346212.tif 000003
【図２】
2006346212.tif 000004
【図３】
2006346212.tif 000005